(57)【要約】      （修正有）【課題】ビデオ信号の表示中に表示パネルの正常動作または誤動作を検出するための方法を提供する。【解決手段】表示パネルに、人間の視覚には実質的に知覚不能である追加された動的パターンをもつビデオ信号を表示させ、追加された動的パターンをもつビデオ信号の表示中に、予定した電力消費特性変化を引き起こさせるための追加するステップと、実際の電力消費特性変化を決定するために、追加された動的パターンをもつビデオ信号の表示中に、表示パネルにより消費される電力を測定するステップと、実際の電力消費特性変化が、予定した電力消費特性変化に対応しているかどうかを決定するステップと、を含む検出方法を実行するのに好適なコントローラ・システムおよびコンピュータ・プログラムに関する。【選択図】図２
2018112738.tif 000002
【特許請求の範囲】
【請求項１】
ビデオ信号の表示中に表示パネルの正常動作または誤動作を検出するための方法であって、前記表示パネルがコントローラ・システムと関連づけられ、該方法は、
前記コントローラ・システムによって動的パターンを前記ビデオ信号に追加するステップであって、前記表示パネルに、人間の視覚には実質的に知覚不能である前記追加された動的パターンをもつ前記ビデオ信号を表示させ、前記追加された動的パターンをもつ前記ビデオ信号の前記表示中に、予定した電力消費特性変化を引き起こさせるための追加する前記ステップと、
実際の電力消費特性変化を決定するために、前記追加された動的パターンをもつ前記ビデオ信号の前記表示中に、前記コントローラ・システムによって、前記表示パネルにより消費される電力を測定するステップと、
前記コントローラ・システムによって、前記実際の電力消費特性変化が前記予定した電力消費特性変化に対応しているかどうかを決定するステップと、
を含む、方法。
【請求項２】
前記実際の電力消費特性変化が前記予定した電力消費特性変化に対応しているかどうかを決定する前記ステップが、
前記コントローラ・システムによって、予定した電力消費特性変化と実際の電力消費特性変化との間の偏りが所定の偏り閾値または範囲内にあるかどうかを決定するステップを
含む、請求項１に記載の方法。
【請求項３】
前記ビデオ信号が、ビデオ・フレームの所与の周波数をもつビデオ・フレームのシーケンスを含み、
前記動的パターンが、１つまたは複数のパターン・フレームを含む、請求項１または２のいずれかに記載の方法。
【請求項４】
前記動的パターンを前記ビデオ信号に追加する前記ステップが、
前記コントローラ・システムによってパターン・フレームをビデオ・フレームに追加するステップであって、前記表示パネルに、前記表示パネルの物理的に覆われた部分に前記追加されたパターン・フレームの表示をもつ前記ビデオ信号を表示させ、その結果、前記追加されたパターン・フレームの表示が人間の視覚には実質的に知覚不能になる、追加する前記ステップを
含む、請求項３に記載の方法。
【請求項５】
前記ビデオ・フレームの周波数が周波数閾値よりも大きく、その結果、単一のビデオ・フレームに含まれる歪みが人間の視覚には実質的に知覚不能になり、前記動的パターンを前記ビデオ信号に追加する前記ステップが、
前記コントローラ・システムによってパターン・フレームをビデオ・フレームに追加するステップであって、前記追加されたパターン・フレームをもつビデオ・フレームは、前記ビデオ・フレームのシーケンスにおいて、追加されたパターン・フレームのない第１の数の連続するビデオ・フレームが先立ち、および／または前記ビデオ・フレームのシーケンスにおいて、追加されたパターン・フレームのない第２の数の連続するビデオ・フレームが続き、その結果、前記追加されたパターン・フレームの表示が、人間の視覚には実質的に知覚不能になるような追加する前記ステップを
含む、請求項３または４に記載の方法。
【請求項６】
パターン・フレームをビデオ・フレームに追加するステップが、
前記ビデオ・フレームが前記パターン・フレームを含む別のビデオ・フレームと取り替えられるように、または、前記ビデオ・フレームの少なくとも一部が前記パターン・フレームによってオーバラップされるように、前記コントローラ・システムによって、前記パターン・フレームを前記ビデオ・フレームに追加するステップを
含む、請求項４または５に記載の方法。
【請求項７】
パターン・フレームをビデオ・フレームに追加するステップが、
前記コントローラ・システムによって、主色として白色をもつパターン・フレームをビデオ・フレームに、および／または主色として黒色をもつパターン・フレームをビデオ・フレームに追加するステップを
含む、請求項４から６のいずれか１項に記載の方法。
【請求項８】
前記表示パネルが、発光ダイオード（ＬＥＤ）表示パネルまたは有機ＬＥＤ（ＯＬＥＤ）表示パネルである、請求項１から７のいずれか１項に記載の方法。
【請求項９】
表示パネルの正常動作または誤動作を検出するために請求項１から８のいずれか１項に記載の方法をコントローラ・システムに実行させるためのプログラム命令を含むコンピュータ・プログラム製品。
【請求項１０】
ビデオ信号の表示中に表示パネルの正常動作または誤動作を検出するためのコントローラ・システムであって、前記表示パネルが前記コントローラ・システムと関連づけられ、該コントローラ・システムは、
動的パターンを前記ビデオ信号に追加して、前記表示パネルに、人間の視覚には実質的に知覚不能である前記追加された動的パターンをもつ前記ビデオ信号を表示させ、前記追加された動的パターンをもつ前記ビデオ信号の前記表示中に、予定した電力消費特性変化を引き起こさせるための動的パターン追加モジュールと、
実際の電力消費特性変化を決定するために、前記追加された動的パターンをもつ前記ビデオ信号の前記表示中に、前記表示パネルによって消費される電力を測定するための測定モジュールと、
前記実際の電力消費特性変化が、前記予定した電力消費特性変化に対応しているかどうかを決定するための検出器モジュールと、
を備える、コントローラ・システム。
【請求項１１】
前記コントローラ・システムに含まれる前記モジュールのうちの少なくとも１つが、電子手段によって実装される、請求項１０に記載のコントローラ・システム。
【請求項１２】
前記コントローラ・システムに含まれる前記モジュールのうちの少なくとも１つが計算手段により実装され、前記計算手段は、メモリとプロセッサとを含んで、前記メモリに記憶されており前記プロセッサによって実行可能である命令を具現し、前記命令は、対応するモジュールの機能を含む、請求項１０または１１に記載のコントローラ・システム。
【請求項１３】
前記表示パネルが、発光ダイオード（ＬＥＤ）表示パネルまたは有機ＬＥＤ（ＯＬＥＤ）表示パネルである、請求項１０から１２のいずれか１項に記載のコントローラ・システム。
【請求項１４】
請求項１０から１３のいずれか１項に記載の前記コントローラ・システムと前記表示パネルとを含む表示システムを
備えるセーフティクリティカル・システム。
【請求項１５】
請求項１４に記載のセーフティクリティカル・システムを備える車両。
【発明の詳細な説明】
【技術分野】
【０００１】
本開示は、表示パネルの正常動作または誤動作を検出するための方法、ならびに、このような方法を実行するのに好適なコンピュータ・プログラムおよびコントローラに関する。
【０００２】
（背景）
表示パネルの動作をモニタする様々な方法が、例えば、表示パネルの正常動作または誤動作の検出を目的で従来技術において知られている。
【０００３】
ほとんどの場合、表示パネルの状態／状況を決定するために基準性能値を前もって（すなわち、工場で、較正中に）記憶する必要がある。他の場合には、表示パネルの動作不良を検出するためにユーザの介入が考慮される。さらなる場合には、基準値が連続的に更新され、それらの値の決定は、目障りな動作（例えば、スクリーンの端から端までパターンを表示する）であり、表示スリーンの通常の使用と平行して実行することができない。
【０００４】
米国特許出願公開第２０１６／０２１７７１９Ａ１号は、車両のスクリーン（例えば、ＯＬＥＤスクリーンなど）のための試験方法を開示しており、その試験方法は、スクリーンにラスタ画像を表示し、結果として流れる電流強度を測定するステップと、前記測定した電流強度を、記憶している基準電流強度と比較するステップと、を含む。ラスタ画像がエラーなしに発生されたかどうかがこの比較に依存して確認される。ここで、基準電流強度は、製造時または生産時に決定されている。この方法の精度は、スクリーンの動作寿命中の異なる時間に得られる強度測定値が互いに著しく異なることがあるので、スクリーンの経時変化に起因して時間とともに低下する可能性がある。
【０００５】
ＷＯ２００８１２０１４３Ａ２は、ＬＥＤ／ＯＬＥＤデバイスの状況および／または状態を決定するための方法を開示しており、この方法は、少なくとも１つの時変信号をＬＥＤ／ＯＬＥＤデバイスに印加するステップと、前記少なくとも１つの時変信号に対する応答を取得するステップと、前記応答を所定の値と相関させるステップと、相関結果に基づいて状況／状態を決定するステップと、を含む。時変信号は、正弦波信号、チャープ信号、広帯域信号、小帯域信号、単一周波数信号、多周波数信号、ステップ信号、またはランプ信号を含む群から選択することができる。ＬＥＤ／ＯＬＥＤユニットのユーザは、印加される時変信号が非常に小さく、したがって、ＬＥＤ／ＯＬＥＤユニットの照明をもたらさないので、診断デバイスの動作を認識しないことになる。時変信号は、ＯＬＥＤに印加される電源電圧に、追加されるかまたは重畳される。
【０００６】
ＤＥ１０２０１４２２０３７３は、ＡＳＩＬ要件によって設定された制限内にとどまりながら重要な情報（警告灯など）を表示するために自動車用途のディスプレイを実装することの難しさを記載している。ユーザが頻繁にチェックするスクリーンの区域に重要な情報を表示するためにスクリーンが使用され、その結果、ユーザ自身がディスプレイの動作不良に気が付く。したがって、この方法は、自動車用途で使用される表示パネルの安全性の向上を期待しているが、パネルの動作不良を検出するためにユーザを頼りにしている。
【０００７】
米国特許出願公開第２００７０１３６９３Ａ１号は、アビオニクス（avionics）の分野におけるディスプレイの重要な用途に関する。航空機コックピット・ディスプレイのためのインテグリティ・チェック方法が、前記先行技術文献に論じられており、コックピット・ディスプレイに提示されるべき画像をレンダリングするために、航空機センサ情報がグラフィックス・レンダリング・プロセッサに送られる。並行して、第２のプロセッサは、画像のサブセットのいくつかの点（「光点」）を計算し、それは次いで完全レンダリング画像と比較される。サブセットの点（「光点」）が完全レンダリング画像と一致する場合、インテグリティ・チェックは合格する。それゆえに、この先行技術の方法は、パネルに送られるデータに関係なく、表示パネルの適格な機能または不完全な機能を決定することではなく、パネルに送られる機密データの破損を避けることに焦点を当てている。
【０００８】
米国特許出願公開第２０１１０２２７９６４Ａ１号は、ＯＬＥＤ不均一性テスト・パターンのシーケンスを導き出すためのシステムおよび方法を開示している。パターン発生器は、離散余弦変換またはウェーブレット変換などの変換関数に従って表示パターンの完全なシーケンスを発生する。ドライバは、そのシーケンスのパターンの各々を用いてディスプレイを駆動する。センサは、そのシーケンスのパターンの各々に対して、ディスプレイの合計電流などのディスプレイの特性を感知する。抽出ユニットは、感知された特性と変換関数の逆関数とを使用して、画素不均一性モデルを導き出す。閾値量未満しか不均一性モデルに寄与しないパターンを識別および除去して、パターンの疎なシーケンスを導き出し、それをメモリに記憶することができる。パターンの疎なシーケンスを使用して、ディスプレイを試験し、１組の画素不均一性値を抽出することができる。画素不均一性値を使用して、ディスプレイのための訂正信号を発生することができる。提案されているシステムおよび方法では、したがって、基準値は、表示スクリーンの通常の使用と平行して実行することができない目障りな動作を実行する（スクリーンの端から端までパターンを表示する）ことによって連続的に確立（および更新）される。
【０００９】
本開示の目的は、表示パネルの正常動作または誤動作の検出のための先行技術の方法、コンピュータ・プログラム、およびコントローラ（システム）を改善することである。
【発明の概要】
【課題を解決するための手段】
【００１０】
（概要）
第１の態様では、ビデオ信号の表示中に表示パネルの正常動作または誤動作を検出するための方法が提供され、表示パネルは、コントローラ・システムと関連づけ可能である（接続可能である）。
【００１１】
この方法は、コントローラ・システムによって動的パターンをビデオ信号に追加するステップであって、表示パネルに、人間の視覚には実質的に知覚不能である追加された動的パターンをもつビデオ信号を表示させて、追加された動的パターンをもつビデオ信号の表示中に、予定した電力消費特性変化を引き起こさせるための追加するステップを、含む。
【００１２】
この方法は、実際の電力消費特性変化を決定するために、追加された動的パターンをもつビデオ信号の表示中に、コントローラ・システムによって、表示パネルにより消費される電力を測定するステップを、さらに含む。
【００１３】
この方法は、コントローラ・システムによって、実際の電力消費特性変化が、予定した電力消費特性変化に対応しているかどうかを決定するステップを、さらに含む。
【００１４】
表示パネルは、例えば、液晶表示（ＬＣＤ）パネル、発光ダイオード（ＬＥＤ）表示パネル、有機ＬＥＤ（ＯＬＥＤ）表示パネル、または任意の表示パネルとすることができ、ここで、電力消費は、表示される画像と関係がある（またはそれに依存する）。
【００１５】
提案する方法は、表示パネルに表示されるべきビデオ信号を処理して、処理がユーザにとって透明であり（ユーザによって観察可能でなく）、さらに、電力消費の予定した特性変化（変動）が前記処理により生じることが見込まれるように処理された信号の表示を生じさせることに基づく。表示パネルによって消費される電力が、処理された信号の表示中に測定され、測定された電力消費の特性変化が決定される。表示パネルの正常機能または誤機能は、電力消費の予定した特性変化が、電力消費の測定されたまたは実際の特性変化と同様であるかどうかに応じて決定される。ビデオ信号の処理は、動的パターンをビデオ信号に含めることを含む。ビデオ信号は、前記処理が人間の視覚には知覚不能になるように多様な方法で処理することができる。
【００１６】
動的パターンは、表示パネルに表示されるべきビデオ信号の１つまたは複数のビデオ・フレームに追加されるべき１つまたは複数の予め定義された画像（またはパターン・フレーム）として規定することができ、その結果、表示パネルによって消費される電力の１つまたは複数の顕著な変化が、「処理された」ビデオ信号におけるパターン・フレームの表示中に引き起こされる。
【００１７】
ビデオ・フレームは、表示パネルの電力消費の完全に検出可能な特性変化（変動）が引き起こされるように、十分な範囲まで処理することができる。これは、先行技術の方法と比較して、例えば、表示ユニットに印加される電源電圧に時変信号を追加するかまたは重畳することに基づく改善を意味する。前記時変信号は、表示ユニットの「正常な」照明への外乱を避けるために非常に小さくなければならないので、評価されるべき対応する影響（または結果）は、少なくともいくつかの状況では、検出可能とならないかまたは不確実な精度で検出可能となり得る。それゆえに、本方法の利点は、表示パネルの正常機能または誤機能が、前記先行技術の方法と比較してより明確な（またはより信頼できる）方法で検出できることである。
【００１８】
示唆する方法の精度は、表示パネルの正常機能または誤機能が、電力消費の予定した特性変化と測定した／実際の特性変化とが同様であるか否かに応じて決定されるので、ある期間にわたって低下しない。すなわち、正常機能の場合には、前記特性変化は、表示パネルが経年変化要因に起因して劣化を受けたかどうかに関係なく互いに非常に類似していると予想される。予定した特性変化と実際の／測定された特性変化との間の著しい相違は、表示パネルの動作不良を示すことができる。したがって、経年変化（および温度）に無関係な検出方法が提供される。
【００１９】
開示する方法の別の利点は、それが、ユーザ（表示パネルの）には透明であり、パネルの正常機能または誤機能を検出するのにユーザを頼りにしないことである。これは、表示パネルが正しくまたは誤って動作しているかどうかを決定するのにユーザの参加を必要とする先行技術の方法と比較して改善を意味する。
【００２０】
提案する方法の別の利益は、表示パネルの正常機能または誤機能がビデオ信号（表示されるべき）の内容に関係なく決定されることである。電力消費（表示パネルによる）の予定した特性変化と実際の／測定された特性変化のみが、例えば、ビデオ信号（表示されるべき）が破損された（敏感な）データを含んでいるか否かに依拠することの代わりに考慮される。したがって、提案する検出方法は、簡単さと精度との間のバランスを提示することができる。
【００２１】
本明細書において、「電力消費の実際の／測定された特性変化」という表現は、「実際の／測定された電力消費の特性変化」と実質的に等価であると考えることができる。すなわち、これらの２つの表現または類似の表現は、同じ原理または概念を実質的に参照すると理解することができる。
【００２２】
示唆する方法のさらなる興味ある寄与は、表示パネルのひどく目立つ動作（例えば、スクリーンの端から端までのパターンの表示）が避けられ、それにより、表示パネルの正常な使用と平行してパネルの正常機能または誤機能の検出を可能にすることができることである。本明細書の他の部分で詳細にコメントするように、表示パネルにビデオ・フレームを表示している間に人間の視覚には知覚不能なビデオ・フレームの処理を行うために、様々な手法を適用することができる。
【００２３】
電力消費の予定した特性変化と実際の／測定された特性変化との間の類似度は、電力消費の予定した特性変化と実際の／測定された特性変化との間の偏りが所定の偏り閾値または範囲内にあるかどうかに応じて決定することができる。この予め定義された偏り閾値または範囲は、例えば、表示パネルの技術的特徴、表示パネルの用途などに応じて確立することができる。例えば、偏り閾値／範囲は、表示パネルのタイプに応じて大きいこともあり、小さいこともある。電力消費の変化は、ＬＣＤパネルではＯＬＥＤパネルよりも少ないので、偏り閾値／範囲は、第１の場合には第２の場合よりも小さくなり得る。
【００２４】
いくつかの例では、ビデオ・フレームは、ビデオ・フレームの歪んだ部分（パターン・フレーム）が表示パネルの物理的に覆われた部分に表示可能にされ、その結果、前記処理された部分の表示が人間の視覚には実質的に知覚不能になるように、変更するかまたは取り替えることができる。この物理的な覆い（ｐｈｙｓｉｃａｌ  ｃｏｖｅｒａｇｅ）は、例えば、例えば表示パネルを装飾する、保護する、固定するなどの主要な機能を有する表示パネルのスクリーン・フレームによって実現することができる。すなわち、既存のスクリーン・フレームは、ビデオ信号の処理を人間の視覚には知覚不能にするために再利用することができる。
【００２５】
ビデオ信号が、例えばビデオ・フレーム／秒に関して比較的高い周波数を有する例では、ビデオ・フレームは、ビデオ信号の周波数を考慮に入れて前記処理／歪みが含められ、その結果、処理／歪みが人間の視覚には知覚不能になるように処理され得る。この周波数依存手法に関する詳細は、本明細書の他の部分で提供される。
【００２６】
ビデオ・フレームの処理は、いくつかの例では、ビデオ・フレームを対応するパターン・フレームと取り替えるかまたはオーバラップさせることを含むことができる。「取り替える」という用語は、（オリジナル）ビデオ・フレーム全体が、パターン・フレーム（例えば、歪んだ像点または画素をもつ）を含む新しいビデオ・フレームと、オプションとしてオリジナル・ビデオ・フレームから得られた一部分とで置き換えられることを意味する。「オーバラップする」という用語は、ビデオ・フレームの一部が保持されながら、別の部分がパターン・フレーム（例えば、歪んだ像点または画素をもつ）によって置き換えられることを意味する。
【００２７】
ビデオ・フレームは、表示パネルによる電力消費の著しい差が少なくとも２つの処理されたビデオ・フレームの表示の間に引き起こされ、その結果、電力消費の必要とされる特性変化が明確に検出可能になるように処理することができる。例えば、例えばＯＬＥＤパネルの場合には、ビデオ・フレームのあるものは、主色として白色（高電力消費）をもつパターン・フレームを追加することによって処理することができ、ビデオ・フレームの別のものは、主色として黒色（低電力消費）をもつパターン・フレームを追加することによって処理することができる。このように、高い消費（白色）から低い消費（黒色）までまたは低い消費（黒色）から高い消費（白色）までの明確に検出できる特性変化が保証される。
【００２８】
第２の態様では、表示パネルの正常動作または誤動作を検出するための上述の方法のうちの任意のものをコントローラ・システム（例えば、コンピューティング・システム）に実行させるためのプログラム命令を含むコンピュータ・プログラム製品が提供される。
【００２９】
第３の態様では、ビデオ信号の表示中に表示パネルの正常動作または誤動作を検出するためのコントローラ・システムが提供され、表示パネルはコントローラ・システムと関連づけられる（例えば、接続可能である）。
【００３０】
コントローラ・システムは、動的パターンをビデオ信号に追加して、表示パネルに、人間の視覚には実質的に知覚不能である追加された動的パターンをもつビデオ信号を表示させ、追加された動的パターンをもつビデオ信号の表示中に、予定した電力消費特性変化を引き起こさせるための動的パターン追加モジュールを含む。
【００３１】
コントローラ・システムは、実際の電力消費特性変化を決定するために、追加された動的パターンをもつビデオ信号の表示中に、表示パネルによって消費される電力を測定するための測定モジュールをさらに含む。
【００３２】
コントローラ・システムは、実際の電力消費特性変化が、予定した電力消費特性変化に対応しているかどうかを決定するための検出器モジュールをさらに含む。
【００３３】
コントローラ・システム（すなわち、そこに含まれるモジュール）は、本開示の他の部分でより詳細に説明するように、計算手段、電子手段、またはそれらの組合せで実現することができる。
【００３４】
本明細書で使用する「モジュール」という用語は、ソフトウェア、ファームウェア、ハードウェア、および／またはそれらの様々な組合せを参照すると理解することができる。モジュールは例示であることに留意されたい。モジュールは、様々な用途をサポートするために、組み合わされる、統合される、分離される、および／または二重にされてもよい。さらに、特定のモジュールで実行されるように本明細書で説明される機能は、１つまたは複数の他のモジュールで実行され、および／または説明する特定のモジュールで実行される機能の代わりにまたはそれに加えて１つまたは複数の他のデバイスによって実行されてもよい。
【００３５】
さらに、モジュールは、互いに近くにあるかまたは遠隔にある多数のデバイスおよび／または構成要素にわたって実装されてもよい。追加として、モジュールは、あるデバイスから移動され別のデバイスに追加されてもよく、および／または両方のデバイスに含まれてもよい。いかなるソフトウェア実施態様も、例えば、メモリ・デバイス、フロッピ・ディスク、コンパクト・ディスク（ＣＤ）、デジタル多用途ディスク（ＤＶＤ）、またはコンピュータ・コードを記憶する他のデバイスなどの１つまたは複数の記憶媒体で有形に具現することができる。
【００３６】
いくつかの例では、上述のコントローラ・システムおよび表示パネルのいずれをも含む表示システムを含むセーフティクリティカル・システムを提供することができる。そのようなセーフティクリティカル・システムを含む車両も提供することができる。
これらのおよび他の利点および特徴は、詳細な説明および図面に照らして明らかになるであろう。
【図面の簡単な説明】
【００３７】
（図面の簡単な説明）
本開示の非限定の例が、添付図面を参照して、以下で説明される。
【図１】例によるコントローラ・システムを含むセーフティクリティカル・システムを概略的に表すブロック図である。
【図２】ＯＬＥＤ表示パネルの正常動作または誤動作を検出するための例による方法を概略的に示す流れ図である。
【図３】図３ａおよび図３ｂは、前の図で示したものと同様の検出方法との関連においてビデオ・フレームを処理する異なる方法を概略的に表し、前記処理は、処理されたビデオ・フレームの表示の間人間の視覚には知覚不能になる。
【発明を実施するための形態】
【００３８】
（例の詳細な説明）
図１は、例によるコントローラ・システムを含むセーフティクリティカル（safety-critical）・システムを概略的に表すブロック図である。セーフティクリティカル・システムにおいて、表示パネル１０５は、カメラ１００が捕捉しているものを表示パネル１０５が実時間で示すという意味で、カメラ１００に関連づけることができる。そのようなシステムの特定の例は、任意のタイプの車両のための、および例えば道路、鉄道、ボート、飛行機などのような任意の手段で移動可能なビデオ監視カメラまたはビジョン・システムをもつセキュリティ・システムを含むことができる。
【００３９】
セーフティクリティカル・システムは、カメラ１００と、カメラ・インタフェース１０１と、ＯＬＥＤ表示パネル１０５と、ビデオ信号の表示中にＯＬＥＤ表示パネル１０５の正常動作または誤動作を少なくとも検出するためのコントローラ・システム１０２〜１０４と、を含むことができる。カメラ１００は、一般に、それゆえにビデオ情報を送出するように構成された任意の種類の汎用画像発生器とすることができる。カメラ・インタフェース１０１は、カメラ１００とコントローラ・システム１０２〜１０４とをインタフェースする（すなわち、適切なプロトコルにより接続する）ソフトウェア／ハードウェア・モジュールとすることができる。
【００４０】
コントローラ・システムは、グラフィック・プロセッサ１０２と、表示制御ユニット１０３と、メイン・プロセッサ１０４と、を含むことができ、それらは、別個の処理ブロックとしてまたは単一の処理ブロックとして実装することができる。例えば、メイン・プロセッサ１０４およびグラフィック・プロセッサ１０２は同じブロックに実装されてもよく、グラフィック・プロセッサ１０２はカメラ・インタフェース１０１および／または表示制御ユニット１０３などに統合されてもよい。
【００４１】
図示の特定の例では、コントローラ・システムは、３つの別個の処理ブロック１０２〜１０４によって形成されるように示されている。グラフィック・プロセッサ１０２は、カメラ１００およびインタフェース１０１からのビデオ情報を受け取り、受け取ったビデオ情報に基づいて、ＯＬＥＤ表示パネルに表示されるべきビデオ信号を取得または発生するように構成することができる。
【００４２】
表示制御ユニット１０３は、動的パターン追加モジュールを実装することができる。前記モジュールは、ＯＬＥＤ表示パネル１０５が特定の方法で動作するように仕向けるために、動的パターンをビデオ信号に追加するように構成することができる。ＯＬＥＤ表示パネル１０５の前記動作は、人間の視覚には実質的に知覚不能である追加された動的パターンをもつビデオ信号を表示することと、追加された動的パターンをもつビデオ信号の表示中に、予定した電力消費特性変化（表示パネルによる）を引き起こすこととを含むことができる。
【００４３】
メイン・プロセッサ１０４は、測定モジュールと検出器モジュールとを実装することができる。測定モジュールは、実際の電力消費特性変化を決定するために、処理されたビデオ信号（追加された動的パターンをもつ）の表示中にＯＬＥＤ表示パネル１０５の電力消費を測定するように構成することができる。電力消費測定値は、ＯＬＥＤパネル１０５の内部にあってもよくまたはその外部にあってもよい電力消費センサから受け取ったセンサ信号１０６に基づいて、測定モジュールで決定することができる。前記「測定」の役割に好適なセンサは、動作パラメータの特性変化を計算するように構成されたもの、例えば、電流計、電圧計、電力計などのようなものとすることができる。この種のセンサは最新技術においてよく知られており、そのため、それらおよび対応する機能に関する詳細は本明細書では提供しない。
【００４４】
検出器モジュールは、実際の電力消費特性変化が、予定した電力消費特性変化に対応しているかどうかを決定するように構成することができる。電力消費の予定した特性変化と測定された／実際の特性変化との間の偏りが受容性閾値または範囲内にない場合、ＯＬＥＤパネルの動作不良のインジケータが生成され得る。予定した電力消費特性変化を表すデータは、検出器モジュールによって表から得られてもよく、検出器モジュールによって表示制御ユニット１０３などから受け取られてもよい。
【００４５】
コントローラ・システム１０２〜１０４は、計算手段、電子手段、またはそれらの組合せで実装することができる。計算手段は命令のセット（すなわち、コンピュータ・プログラム）とすることができ、それゆえ、コントローラ・システム１０２〜１０４は、メモリとプロセッサとを含み、メモリに記憶されておりプロセッサによって実行可能である前記命令のセットを具現することができる。命令は、ビデオ信号の表示中にＯＬＥＤ表示パネル１０５の正常動作または誤動作を検出するための方法を実行する機能を含むことができる。
【００４６】
コントローラ・システム１０２〜１０４が電子手段によってのみ実装される場合、コントローラは、例えば、ＣＰＬＤ（コンプレックス・プログラマブル・ロジック・デバイス）、ＦＰＧＡ（フィールド・プログラマブル・ゲート・アレイ）、またはＡＳＩＣ（特定用途向け集積回路）とすることができる。
【００４７】
コントローラ・システム１０２〜１０４が電子手段と計算手段の組合せである場合、計算手段は命令のセット（例えば、コンピュータ・プログラム）とすることができ、電子手段は、ビデオ信号の表示中にＯＬＥＤ表示パネル１０５の正常動作または誤動作を検出するための言及した方法の１つまたは複数の対応ステップを実施することができる任意の電子回路とすることができる。
【００４８】
コンピュータ・プログラムは、記憶媒体（例えば、ＣＤ−ＲＯＭ、ＤＶＤ、ＵＳＢドライブ、コンピュータ・メモリ、または読取り専用メモリ）で具現することができ、またはキャリア信号で（例えば、電気キャリア信号または光キャリア信号で）搬送することができる。
【００４９】
コンピュータ・プログラムは、ソース・コード、オブジェクト・コード、部分的にコンパイルされた形態などのコード中間ソースおよびオブジェクト・コードの形態とすることができ、またはビデオ信号の表示中にＯＬＥＤ表示パネル１０５の正常動作または誤動作を検出するための方法を実施する際に使用するのに好適な任意の他の形態とすることができる。キャリアは、コンピュータ・プログラムを搬送することができる任意のエンティティまたはデバイスとすることができる。
【００５０】
例えば、キャリアは、ＲＯＭ、例えばＣＤ  ＲＯＭもしくは半導体ＲＯＭ、または磁気記録媒体、例えばハード・ディスクなどの記憶媒体を含むことができる。さらに、キャリアは、電気信号または光信号などの伝達可能なキャリアとすることができ、伝達可能なキャリアは、電気ケーブルもしくは光ケーブルを介してまたは無線もしくは他の手段で伝えることができる。
【００５１】
コンピュータ・プログラムが、ケーブルまたは他のデバイスもしくは手段で直接伝えることができる信号で具現される場合、キャリアは、そのようなケーブルまたは他のデバイスもしくは手段で構成することができる。
【００５２】
代替として、キャリアは、コンピュータ・プログラムが埋め込まれた集積回路とすることができ、集積回路は、関連する方法を実行するように、または関連する方法の実行で使用されるように構成される。
【００５３】
図２は、ＯＬＥＤ表示パネルの正常動作または誤動作を検出するための例による方法を概略的に示す流れ図である。これらの検出方法は、前の図に対して説明したものなどのコントローラ・システムで実行することができる。したがって、図１からの参照番号は、図２に関する以下の説明で使用されることがある。
【００５４】
ブロック２００において、方法は、例えば、ＯＬＥＤ表示パネル１０５の正常動作または誤動作を検出する要請をコントローラ・システム１０２〜１０４で受け取ることの結果として開始することができる。
【００５５】
ブロック２０１において、動的パターンをコントローラ・システム１０２〜１０４によってビデオ信号に追加して、ＯＬＥＤ表示パネルに、人間の視覚には実質的に知覚不能である追加された動的パターンをもつビデオ信号を表示させ、追加された動的パターンをもつビデオ信号の表示中に、予定した電力消費特性変化を引き起こさせることができる。この予定した電力消費特性変化は、ＯＬＥＤパネルによって全体として消費されるまたはＯＬＥＤパネルによってＲＧＢチャネルごとに消費されるように予定した電力を参照することができる。
【００５６】
ブロック２０２において、ＯＬＥＤ表示パネルの電力消費の測定値を、追加された動的パターンをもつビデオ信号の表示中にコントローラ・システム１０２〜１０４で決定することができる。これらの測定値は、ＯＬＥＤパネルによって全体として消費されるまたはＯＬＥＤパネルによってＲＧＢチャネルごとに消費される電力を参照することができる。実際の電力消費特性変化は、得られた電力消費測定値に基づいてコントローラ・システム１０２〜１０４で決定することができる。
【００５７】
ブロック２０３において、コントローラ・システム１０２〜１０４は、実際の電力消費特性変化が電力消費（ＯＬＥＤパネルの全体としてのまたはＲＧＢチャネルごとの）の予定した特性変化に対応しているかどうかを決定することができる。前記対応は、電力消費（ＯＬＥＤパネルの全体としてのまたはＲＧＢチャネルごとの）の予定した特性変化と実際の／測定された特性変化との間の偏りが、予め定義された受容性閾値または範囲内にあるかどうかに応じて決定することができる。
【００５８】
予定した電力消費特性変化と実際の電力消費特性変化との前記対応は、所与の測定値（実際の電力消費特性変化の）が１つまたは複数の以前の測定値（実際の電力消費特性変化の）よりも実質的に高いか、それに等しいか、またはそれよりも低いかどうかを検証することによって評価することもできる。所与の測定値が、以前の測定値よりも高いか、それに等しいか、またはそれよりも低いことを示す前記検証の結果は、予定した電力消費特性変化に応じて受容可能であるかまたは受容不可能であるとして決定され得る。
【００５９】
これらの評価ステップは、実際の電力消費特性変化を構成する測定値の各々（または選択されたもの）に対して実行することができる。予め定義された数の受容不可能な結果（上述で定義したような）は、電力消費（ＯＬＥＤパネルの全体としてのまたはＲＧＢチャネルごとの）の予定した特性変化と実際の／測定された特性変化との間の受容不可能な偏りが検出されたことを示すことができる。前記受容不可能な偏りを表すデータは、決定ブロック２０４に提供することができる。
【００６０】
１つまたは複数の以前の測定値は、実際の電力消費特性変化における所与の測定値に（直接）先立つ予め定義された数の直前の測定値を含むことができる。いくつかのフィルタ処理が、例えばいくつかの電力消費測定値におけるパンクチュアル・エラー（ｐｕｎｃｔｕａｌ  ｅｒｒｏｒ）を除去または減衰させるために前記以前の測定値に実行され得る。例えば、所与の測定値に先立つ直前のＮ個の測定値（例えば、Ｎ＝１０、２０、または３０など）を平均することができ、前記平均を所与の測定値と比較して、所与の測定値が、以前の測定値を表す前記平均よりも高いか、それと等しいか、またはそれよりも低いかどうかを決定することができる。
【００６１】
決定ブロック２０４において、電力消費（ＯＬＥＤパネルの全体としてのまたはＲＧＢチャネルごとの）の予定した特性変化と実際の／測定された特性変化との間の偏りが受容可能でない場合、方法はブロック２０５へと続くことができ、ＯＬＥＤパネルの動作不良の表示を発生することができる。他の場合には、方法はブロック２０６に進むことができ、終了状態の受入れまたは存在が検証される。終了状態は、例えば、ＯＬＥＤパネルが使用されている車両がオフにされていることを示すことができる。
【００６２】
決定ブロック２０６において、終了状態（例えば、車両がオフにされている）の受入れまたは存在の場合には、最終ブロック２０７への移行が、方法の実行を終了するために実行され得る。他の場合には、方法は、前に説明したブロック２０１〜２０６の新しい繰返しを実行するためにブロック２０１に折り返して戻ることができる。
【００６３】
いくつかの例では、Ｙ／ＵＶ（またはＹのみの）測定値および／またはＹｃｂ／ＣＲ（またはＹｃｂのみの）測定値を、代替として、または前述のＲＧＢ測定値に加えて考慮することができる。
【００６４】
図３ａおよび図３ｂは、前の図で示したものなどの検出方法との関連においてビデオ・フレームを処理する異なる方法を概略的に表し、前記処理は、処理されたビデオ・フレームの表示の間人間の視覚には知覚不能になる。
【００６５】
本開示の他の部分に記載したように、ビデオ信号は、ビデオ・フレームの所与の周波数をもつビデオ・フレームのシーケンスを含むことができ、動的パターンは、対応するパターン・フレームを含むことができる。ビデオ・フレームは、ビデオ・フレームを対応するパターン・フレームと取り替えることおよび／またはビデオ・フレームの少なくとも一部を対応するパターン・フレームとオーバラップさせることによって処理することができ、その結果、ＯＬＥＤパネルの電力消費の明確に検出できる変動または特性変化が引き起こされる。
【００６６】
図３ａは、処理されたビデオ・フレームを、処理が人間の視覚には知覚不能であるように表示するのに好適なＯＬＥＤベース・スクリーン３００を概略的に示す。ビデオ・フレームは、処理がＯＬＥＤ表示パネル３００の物理的に覆われた部分３０３に表示可能になるように、処理することができる（前述の取替えおよび／またはオーバラップにより）。この物理的な覆いは、例えば、ＯＬＥＤパネル３００のスクリーン・フレーム３０２を含むことができ、その結果、ＯＬＥＤパネル３００の知覚可能な（または観察可能な）領域３０１と知覚不能な（または隠された）領域３０３とが区別される。
【００６７】
図３ｂは、周波数閾値よりも大きい周波数をもつビデオ・フレーム３０５〜３０９のシーケンスを含む処理されたビデオ信号３０４を概略的に示し、その結果、単一のビデオ・フレーム３０６、３０８に含まれる歪んだパターン・フレームは人間の視覚には実質的に知覚不能になり得る。周波数閾値は、例えば、２０ビデオ・フレーム／秒と４０ビデオ・フレーム／秒との間とすることができる。ビデオ・フレームのシーケンスは、処理されたビデオ・フレーム３０６、３０８（すなわち、追加のパターン・フレームをもつ）と、処理されていないビデオ・フレーム３０５、３０７、３０９（すなわち、追加のパターン・フレームなしの）とを含むことができる。
【００６８】
追加されたパターン・フレームをもつビデオ・フレーム３０６は、一連の処理されていないビデオ・フレーム３０５が先行してもよく、または一連の処理されていないビデオ・フレーム３０７が続いてもよく、追加されたパターン・フレームをもつビデオ・フレーム３０８は、一連の処理されていないビデオ・フレーム３０７が先行してもよく、または一連の処理されていないビデオ・フレーム３０９が続いてもよい。一連の処理されていないビデオ・フレーム３０５、３０７、３０９のいずれにおいても処理されていないビデオ・フレームの数は、ビデオ信号の周波数（フレーム／秒）に応じて規定することができ、その結果、処理されたビデオ・フレーム３０６、３０８に含まれる「歪んだ」パターン・フレームの表示は、人間の視覚には実質的に知覚不能になり得る。
【００６９】
処理されたビデオ・フレーム３０６、３０８の一方に追加されたフレーム・パターンは主色として白色（高電力消費）を含むことができ、処理されたビデオ・フレーム３０６、３０８の他方に追加されたフレーム・パターンは主色として黒色（低電力消費）を含むことができる。他の色または色の組合せ（白色および／または黒色と異なる）が、処理されたビデオ信号３０４の表示中に明確に検出できるＯＬＥＤパネルの電力消費の変動または特性変化を引き起こす目的で考慮されてもよい。
【００７０】
図３ａおよび図３ｂに関して説明した原理の変形が、他の例では可能である。例えば、いくつかの用途では、単一のパターン・フレームが、表示パネルの電力消費の明確に検出できる変化を発生するのに十分であることがある。特に、表示パネルが、カメラによって捕捉された画像を実時間で発する用途では、主色として白色または黒色のいずれかをもつ単一のパターン・フレームを、ビデオ信号の対応するビデオ・フレームに追加することができる。
【００７１】
一例では、表示パネルが主に暗画像（例えば、夜間の環境からの）を発していることが検出された場合、電力消費（ＯＬＥＤパネルの）の顕著な変化が、主色として白色をもつ単一のパターン・フレームをビデオ信号に追加することによって引き起こされ得る。暗画像の前記検出は、時間帯（日照時間または夜間）、通信ネットワーク（例えば、インターネット）を介して受け取った気象条件、画像解析の任意の既知の方法などに基づいて実施することができる。
【００７２】
別の例では、表示パネルが主に明画像（例えば、日のよく射す環境からの）を発していることが検出された場合、電力消費（ＯＬＥＤパネルの）の著しい変化が、主色として黒色をもつ単一のパターン・フレームをビデオ信号に追加することによって引き起こされ得る。明画像の前記検出は、時間帯（日照時間または夜間）、通信ネットワーク（例えば、インターネット）を介して受け取った気象条件、画像解析の任意の既知の方法などに基づいて実施することができる。
【００７３】
同じ検出方法は、処理されたビデオ信号が、人間の視覚には知覚不能な追加された動的パターンを用いて表示可能になるように、図３ａおよび図３ｂに関して前に説明した手法のいずれか（またはそれらの任意の組合せ）を使用することができる。
【００７４】
本開示による検出方法のいずれも、安全性重視用途（ＳＩＬまたはＡＳＩＬ）で使用するために表示パネルの安全度水準を向上できるようにする機能安全に直接関係がある。
【００７５】
単にいくつかの例が本明細書で開示されたが、それの他の代替、変形、使用法、および／または均等物が可能である。さらに、記載された例のすべての可能な組合せも包含される。したがって、本開示の範囲は、特定の例によって限定されるべきでなく、以下の特許請求範囲の公平な解釈によってのみ決定されるべきである。
【図１】
2018112738.tif 000003
【図２】
2018112738.tif 000004
【図３】
2018112738.tif 000005